(57)【要約】      （修正有）【課題】傾斜した懸架部材を有するハンガーラックにおいて、懸架部材の傾斜角度を調整可能とする棚板を提供する。【解決手段】棚ラックを構成する左右一対の柱枠材にそれぞれ取り付けられた一対の棚受けブラケット３０上に着脱可能に載置されるプラスチック製の棚板１０であって、矩形板状の棚板本体と、前記棚板本体の裏面上に、幅方向および奥行き方向にそれぞれ所定の間隔で格子状に立設された複数のリブとを有する。前記格子状のリブが、前記棚板本体の幅方向に延在する２つの縁部に沿った部分において、前記棚板本体の縁部以外の部分におけるよりも小さい間隔で形成されている。前記棚板本体の裏面上に、前記棚受けブラケットの上向きに突出する係止突起に係合するための穴が形成されている。前記棚板が、プラスチックの色に応じて多様な色を有することが可能である。【選択図】図１
0003222580.tif 000002
【実用新案登録請求の範囲】
【請求項１】
陳列棚のフレームを構成する左右一対の柱部材にそれぞれ取り付けられた一対の棚受けブラケット上に着脱可能に載置されるプラスチック製の棚板であって、
矩形板状の棚板本体と、
前記棚板本体の裏面上に、幅方向および奥行き方向にそれぞれ所定の間隔で格子状に立設された複数のリブとを有することを特徴とする棚板。
【請求項２】
前記格子状のリブが、前記棚板本体の幅方向に延在する２つの縁部に沿った部分において、前記棚板本体の縁部以外の部分におけるよりも小さい間隔で形成されていることを特徴とする請求項１に記載の棚板。
【請求項３】
前記棚板本体の裏面上に、前記棚受けブラケットの上向きに突出する係止突起に係合するための穴が形成されていることを特徴とする請求項１または２に記載の棚板。
【請求項４】
前記格子状のリブおよび前記穴の各々の縁部に、前記棚受けブラケットが差し込まれる切欠きが形成されていることを特徴とする請求項３に記載の棚板。
【請求項５】
前記棚板が、プラスチックの色に応じて多様な色を有することが可能であることを特徴とする請求項１〜４のいずれかに記載の棚板。
【請求項６】
前記棚板本体の幅方向に沿って延在するいずれか一方の縁部において上方に向かって所定の高さで立設されたストッパ壁を有することを特徴とする請求項１〜５のいずれかに記載の棚板。
【請求項７】
請求項１〜６のいずれかに記載の棚板と、前記棚板を載置するための棚受けブラケットと、前記棚受けブラケットを取り付け可能なフレームとを備えた陳列棚。
【考案の詳細な説明】
【技術分野】
【０００１】
本考案は、商品等を陳列するための陳列棚のフレームに着脱可能に載置される棚板およびその陳列棚に関する。
【背景技術】
【０００２】
商品等の陳列棚として多様な形状のものが知られている。一般的な例として、縦方向および横方向の線状部材が組み合わされて陳列棚のフレームが構成されており、フレーム内の縦方向の左右一対の柱部材に左右一対の棚受けブラケットをそれぞれ取付け、それらの棚受けブラケットにより支持されるように１枚の棚板を着脱可能に載置するものがある（特許文献１等）。その場合、上下方向における棚受けブラケットの位置および棚受けブラケット同士の間隔を変更可能とすることも周知である。
【先行技術文献】
【特許文献】
【０００３】
【特許文献１】実用新案登録第３１８６８８０号公報
【考案の概要】
【考案が解決しようとする課題】
【０００４】
一般的な陳列棚における棚板は、化粧合板、ガラス製、スチール製等であり、その色を自在に変更することは難しかった。また、棚板の厚さを薄くすると、大きな荷重に対して強度が不足し、撓みを生じるという問題があった。
【０００５】
本考案の目的は、陳列棚の棚板において多様な色を実現できると共に、厚さを薄くしても撓みを生じない強度を有する棚板を提供することを目的とする。また、そのような棚板を備えた陳列棚を提供することを目的とする。
【課題を解決するための手段】
【０００６】
上記の目的を達成するために、本考案は以下の構成を提供する。
・  本考案の態様は、陳列棚のフレームを構成する左右一対の柱部材にそれぞれ取り付けられた一対の棚受けブラケット上に着脱可能に載置されるプラスチック製の棚板であって、
矩形板状の棚板本体と、
前記棚板本体の裏面上に、幅方向および奥行き方向にそれぞれ所定の間隔で格子状に立設された複数のリブとを有することを特徴とする。
・  上記態様において、前記格子状のリブが、前記棚板本体の幅方向に延在する２つの縁部に沿った部分において、前記棚板本体の縁部以外の部分におけるよりも小さい間隔で形成されていることが、好適である。
・  上記態様において、前記棚板本体の裏面上に、前記棚受けブラケットの上向きに突出する係止突起に係合するための穴が形成されていることが、好適である。
・  上記態様において、前記格子状のリブおよび前記穴の各々の縁部に、前記棚受けブラケットが差し込まれる切欠きが形成されていることが、好適である。
・  上記態様において、前記棚板が、プラスチックの色に応じて多様な色を有することが可能であることが、好適である。
・  上記態様において、前記棚板本体の幅方向に沿って延在するいずれか一方の縁部において上方に向かって所定の高さで立設されたストッパ壁を有することが、好適である。
・  本考案の別の態様は、上記いずれかの態様の棚板と、前記棚板を載置するための棚受けブラケットと、前記棚受けブラケットを取り付け可能なフレームとを備えた陳列棚である。
【考案の効果】
【０００７】
本考案によれば、陳列棚の棚板において多様な色を実現できると共に、厚さを薄くしても撓みを生じない強度を有する棚板が得られる。また、そのような棚板を備えた陳列棚が実現される。
【図面の簡単な説明】
【０００８】
【図１】図１は、本考案による棚板を載置した陳列棚の一例を概略的に示す外観斜視図である。
【図２】図２（ａ）は棚板の平面図、（ｂ）は正面図、（ｃ）は右側面図である。
【図３】図３（ａ）は棚板の底面図、（ｂ）は（ａ）のＩ−Ｉ断面図である。
【考案を実施するための形態】
【０００９】
以下、例示である図面を参照して本考案の実施形態を説明する。
図１は、本考案による棚板を載置した陳列棚の一例を概略的に示す外観斜視図である。陳列棚１は、ここでは複数の線状部材を縦横に組み合わせて構成されたフレーム２０を有する。フレーム２０の主要部は、複数の柱部材２１と、それらの柱部材２１の上端同士および下端同士を連結する梁部材と、最下部に取り付けられたローラとを有する。なお、陳列棚１のフレーム２０の構成は図示の例に限られず、多様である。
【００１０】
図１の例では、４本の柱部材２１が設けられている。この例では、外側に位置する左右一対の柱部材２１に、一対の棚受けブラケット３０がそれぞれ取り付けられている。さらに、３対の棚受けブラケット３０が、上下方向に所定の間隔で取り付けられている。各棚受けブラケット３０は、ここでは、柱部材２１に取り付けられた後端から斜め下前方に延在する板状のアーム部３１と、アーム部３１の先端近傍の上縁において上向きに突出する係止突起３２とを有する。板状のアーム部３１の広い面は、鉛直面と平行に向いている。
【００１１】
図１では、下側の２対の棚受けブラケットにそれぞれ棚板１０を載置した状態を示している。棚受けブラケット３０が傾斜していることにより、棚板１０も傾斜することになる。もちろん、棚受けブラケット３０を水平に取り付けた場合、棚板１０も水平に載置される。棚板１０は、左右一対の棚受けブラケット３０により支持され、着脱自在である。棚板１０の上に種々の陳列品が置かれることになる。
【００１２】
図２および図３を参照して、本考案の棚板１０について詳細に説明する。
図２（ａ）は棚板１０の平面図、（ｂ）は正面図、（ｃ）は右側面図である。図３（ａ）は棚板１０の底面図、（ｂ）は（ａ）のＩ−Ｉ断面図である。
【００１３】
本考案の棚板１０は、プラスチック製であり、所定の金型を用いることによりその全体が一体成形される。例えば、熱可塑性樹脂を用いる場合、所定の形状の金型を準備し、加熱して溶けたプラスチックを金型内に充填し、金型内でプラスチックを一定時間冷却して固化させた後、成形品を取り出す。材料として例えば、アクリロニトリル・ブタジエン・スチレン樹脂（ＡＢＳ）、ポリ塩化ビニル樹脂（ＰＶＣ）等の汎用プラスチックがある。プラスチックの種類はこれらに限られないが、多様な着色が可能な樹脂を用いることが好適である。それにより、デザイン性に優れた棚板および陳列棚を実現できる。
【００１４】
図２（ａ）の平面図に示すように、棚板１０について、平面視にて左右方向の長さを幅Ｗ、それに垂直な方向を奥行きＤと称することとする。また図２（ｃ）の右側面図に示すように、幅Ｗおよび奥行きＤの方向に垂直な方向の棚板１０の厚さを高さＨと称することとする。棚板１０は、高さＨよりも薄い厚さをもつ矩形板状の棚板本体１１を有する。棚板本体１１の表面１１ａは平坦面である。
【００１５】
図３（ａ）の底面図および（ｂ）のＩ−Ｉ断面図に示すように、棚板本体１１の裏面１１ｂ上には、幅Ｗ方向および奥行きＤ方向にそれぞれ所定の間隔で複数のリブ１３が格子状に立設されている。各リブ１３は薄い板状であり、棚板本体１１の裏面１１ｂから垂直に壁のように立ち上がっている。リブ１３の立ち上がり高さと棚板本体１１の厚さの和が、棚板１０の高さＨとなる。
【００１６】
棚板本体１１の裏面１１ｂ上には、格子状のリブ１３により形成された多数の矩形枠が縦横に配置される。棚板本体１１は薄板であるが、その裏面１１ｂにリブ１３による格子状構造を設けたことによって棚板１０の剛性が向上し、荷重に対して撓むことが防止できる。荷重に対する必要な強度は、リブ１３の高さ、数、間隔および配置を適切に設計することにより確保することができる。
【００１７】
好適には、格子状のリブ１３は、棚板本体１１の幅Ｗ方向に延在する２つの縁部に沿った部分において、棚板本体１１の縁部以外の部分におけるよりも小さい間隔で形成されている。図３（ａ）の底面図において、上縁と下縁に沿って小さい矩形枠が並ぶようにリブ１３が形成されている。それに対し、縁部以外の中央部分ではリブ１３の間隔が広く大きい矩形枠が並んでいる。この構成によって、棚板１０のこれらの縁部における剛性がさらに強化される。
【００１８】
さらに、図２（ｂ）の正面図および図３（ａ）の底面図に示すように、格子状のリブ１３の高さＨ方向の端縁には、所定の深さの複数の切欠き１５が奥行きＤ方向に沿って一列に形成されている。これらの切欠き１５は、棚板１０が図１に示した一対の棚受けブラケット３０上に載置されたとき、棚受けブラケット３０の上縁部分が差し込まれる溝の役割を果たす。これにより棚板１０が棚受けブラケット３０上で幅Ｗ方向に移動することなく支持される。なお、図示の例では、幅Ｗ方向に沿って切欠き１５の列が２対形成されている。これは、棚受けブラケット３０の取付位置を、図１に示した外側の一対の柱部材から内側の一対の柱部材に変更した場合に対応させるためである。
【００１９】
またさらに、図３（ａ）の底面図に示すように、棚板本体１１の裏面１１ｂには、上述した切欠き１５の列と同じ位置において、奥行きＤ方向に沿って２つの穴１４がそれぞれ形成されている。この穴１４は、図１に示した棚受けブラケット３０の上縁から上向きに突出する係止突起３２に係合するためのものである。例えば係止突起３２が円柱形である場合、これに嵌合するように穴１４は円筒形で設けられる。これにより、棚板１０が棚受けブラケット３０上で移動することなく支持される。
【００２０】
なお、奥行きＤ方向において２箇所に穴１４が形成されているが、棚受けブラケット３０には先端近傍に１つの係止突起３２があるので、いずれか一方の穴１４のみが係合する。そして、棚板１０を奥行きＤ方向に関して前後を入れ替えて反対向きとした場合には、もう一方の穴１４が係止突起３２と係合することになる。このように棚板１０は、奥行きＤ方向について前後の向きを変えることができる。このことは、次に説明するストッパ壁１２に関係する。
【００２１】
棚板本体１１の幅Ｗ方向に沿って延在するいずれか一方の縁部には、上方に向かって所定の高さをもつストッパ壁１２が立設されている。例えば、図１に示すように棚板１０を傾斜して載置する場合、ストッパ壁１２が下側になるように載置することによって、棚板１０に置かれた陳列物が落下することを防止する。
【００２２】
ストッパ壁１２が不要の場合や、棚板１０を水平に載置する場合は、ストッパ壁１２が、奥行きＤ方向において前側ではなく後側の縁部に位置するように棚板１０を設置することができる。
【００２３】
本考案により、上述した棚板１０と、棚板１０を載置するための棚受けブラケット３０と、棚受けブラケット３０を取り付け可能なフレームとを備えた陳列棚も提供される。
【００２４】
以上に述べた本考案の実施形態は一例を示したものであり、これら以外にも多様な変形形態が可能であり、それらについても本考案に含まれるものとする。
【符号の説明】
【００２５】
１  陳列棚
１０  棚板
１１  棚板本体
１１ａ  表面
１１ｂ  裏面
１２  ストッパ壁
１３  リブ
１４  穴
１５  切欠き
２０  フレーム
３０  棚受けブラケット
Ｗ  幅
Ｄ  奥行き
Ｈ  高さ
【図１】
0003222580.tif 000003
【図２】
0003222580.tif 000004
【図３】
0003222580.tif 000005